(57)【要約】  ユーザエンティティ（ＵＥ）と、アクセスノード（ＡＮ）と、セッション管理ノード（ＳＭ）または制御プレーン機能エンティティと、ユーザプレーン機能エンティティと、ポリシ制御エンティティ（ＨＳＳ、ポリシＣＴＲＬ）と、ユーザデータエンティティ（ＵＳＥＲ  ＤＡＴＡ）と、データネットワーク中のアプリケーションサーバ（ＡＳ）とに関する方法および装置。このシステムは、小さい低頻度のデータを送受信するように適合される。この方法は、ＵＥがアタッチプロシージャを実施することを含み、ＵＥは、ＳＭとのセッションセットアップを要求し（１２０）、ＳＭは、ユーザプレーンを選択し（１２６）、ＵＥについてのＵＥコンテキストを記憶する（１３２）。その後、低頻度の小さいデータをアップリンクおよびダウンリンク方向で搬送することが実施されてよい。【選択図】図９
2019525553.tif 000002
【特許請求の範囲】
【請求項１】
アクセスノード（ＡＮ）と、セッション管理（ＳＭ）機能ノードまたは制御プレーン（ＣＰ）機能エンティティ（ＳＭ）と、ユーザプレーン（ＵＰ）機能エンティティと、ポリシ制御エンティティ（ＨＳＳ、ポリシＣＴＲＬ）とを含むシステムであって、データネットワークと対話し、
低頻度の小さいパケットデータユニット（ＰＤＵ）をユーザエンティティ（ＵＥ）との間で通信するための接続確立フローまたはアタッチプロシージャを実施するように適合され、
前記ＵＥがセッションセットアップ要求を開始すると（１２０）、
前記ＳＭ機能ノードが、前記ＵＥに関連する前記ＵＰ機能エンティティおよびトンネル識別子を選択し（１２６）、
ＩＰ  ＰＤＵセッションタイプの場合に、前記ＳＭ機能ノードが前記ＵＰ機能エンティティと前記ＳＭ機能ノードとの間でのユーザプレーン（ＵＰ）の確立をトリガし、ＵＥコンテキストが前記ＵＰ機能エンティティ中で作成され（１３０）、
前記ＳＭ機能ノードが前記ＵＥコンテキストを記憶し（１３２）、
前記ＳＭ機能ノードが、制御プレーン（ＣＰ）中で、かつ任意選択でＵＰ中で、前記確立を完了し、アップリンクトンネル情報を前記ＡＮに提供し（１３４）、
前記ＡＮが前記ＵＥコンテキストを記憶し（１３６）、
前記ＡＮが応答を前記ＵＥに送信する（１３８）
ように適合されたシステム。
【請求項２】
ＩＰｖ６ステートレスアドレス自動設定またはＤＨＣＰｖ４割振りプロシージャが終了した（１４０）後、かつインターネットプロトコルベースの接続の場合に、
前記ＵＰ機能エンティティが前記ＵＥコンテキストを削除する（１４２）
ようにさらに適合された、請求項１に記載のシステム。
【請求項３】
データを低頻度で送るＵＥから小さいアップリンクＰＤＵを伝達するようにさらに適合され、
前記ＵＥが前記ネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、
無線ベアラが前記ＵＥと前記ＡＮとの間でセットアップされ（１５０）、
前記ＵＥが、アップリンクＰＤＵを前記ＡＮに送信し、前記ＰＤＵが送信されるべき最終ＰＤＵであることを示し（１５２）、
前記ＡＮが、前記ＰＤＵをトンネルプロトコルヘッダ中にカプセル化し、前記ＵＥコンテキストのトンネル識別子部分によって示される前記ＵＰ機能エンティティに前記ＰＤＵを転送し（１５４）
前記ＵＥがＲＲＣ非アクティブ接続状態に移され（１５８）、
前記ＵＰ機能エンティティが前記アップリンクＰＤＵを受け取り、前記ＵＥコンテキストが存在しない場合に、前記ＵＰ機能エンティティが、適正な前記制御プレーン機能エンティティに前記ＵＥコンテキストを要求して前記ＵＥコンテキストを記憶し（１６０）、
前記ＵＰ機能エンティティが、ＩＰ  ＰＤＵセッションタイプの場合にＰＤＵ宛先ＩＰアドレスを利用して前記ＰＤＵを前記データネットワークに転送する（１６２）
ように適合された、請求項１または２に記載のシステム。
【請求項４】
前記ＵＰ機能エンティティが、最終ＰＤＵマーキングに従って、または非アクティブ性により、前記ＵＥコンテキストを除去する、請求項３に記載のシステム。
【請求項５】
データを低頻度で送るＵＥに小さいダウンリンクＰＤＵを伝達するようにさらに適合され、
前記ＵＥが前記ネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、
移動体によって終端されるダウンリンクＰＤＵが前記ＵＰ機能エンティティによって受け取られ（１７０）、
ＵＥコンテキストが存在しない場合に、前記ＵＰ機能エンティティが前記ＵＥコンテキストを前記ＣＰ機能エンティティに要求して前記ＵＥコンテキストを記憶し（１７２）、
前記ＵＰ機能エンティティが、前記ＰＤＵをトンネルプロトコルヘッダ中にカプセル化し、前記ＵＥコンテキストのＡＮトンネル識別子部分によって識別される前記ＡＮに前記ＰＤＵを転送し（１７４）、
前記ＡＮが前記ＰＤＵを前記ＵＥに転送し（１８０）、
前記ＵＥがＲＲＣ非アクティブ接続状態に移される（１８４）
ように適合された、請求項１から４のいずれか一項に記載のシステム。
【請求項６】
前記ＵＰ機能エンティティが、非アクティブ性により前記ＵＥコンテキストを除去する、請求項５に記載のシステム。
【請求項７】
セッション管理（ＳＭ）機能ノードまたは制御プレーン（ＣＰ）機能エンティティのための方法であって、
前記ＳＭ機能ノードがアクセスノード（ＡＮ）およびＵＰ機能エンティティと対話し、前記ＵＰ機能エンティティがさらにデータネットワークと対話し、
前記ＳＭ機能ノードがポリシ制御エンティティ（ＨＳＳ、ポリシＣＴＲＬ）と対話し、前記ポリシＣＴＲＬがさらにデータネットワークと対話し、
前記ＳＭ機能ノードが、低頻度の小さいパケットデータユニット（ＰＤＵ）をユーザエンティティ（ＵＥ）との間で通信するための接続確立フローまたはアタッチプロシージャに加わるように適合され、前記ＳＭ機能ノードが
セッションセットアップ要求をＵＥから受け取ること（１２０）、
前記ＵＥに関連する前記ＵＰ機能エンティティおよびトンネル識別子を選択すること（１２６）、
ＩＰベースのＰＤＵタイプの場合に、前記ＵＰ機能エンティティと前記ＳＭ機能ノードとの間でのユーザプレーン（ＵＰ）の確立をトリガすることであって、それによりＵＥコンテキストが前記ＵＰ機能エンティティ中で作成されること（１３０）、
前記ＵＥコンテキストを記憶すること（１３２）、
制御プレーン（ＣＰ）中での前記確立を完了し、アップリンクトンネル情報を前記ＡＮに提供すること（１３４）
を含む方法。
【請求項８】
データを低頻度で送るＵＥから小さいアップリンクＰＤＵを伝達するようにさらに適合され、
前記ＵＥが前記ネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、前記ＵＥと前記ＡＮとの間で無線ベアラが再開され（１５０）、前記ＵＥが、前記ＰＤＵを前記ＡＮに送信し、前記ＰＤＵが期間にわたる送信されるべき最終ＰＤＵであることを示し（１５２）、
前記ＵＰ機能エンティティからＵＥコンテキストが要求されると、ＵＥコンテキストを提供すること（１６０）
を含む、請求項７に記載のＳＭ機能ノードのための方法。
【請求項９】
データを低頻度で送るＵＥから小さいアップリンクＰＤＵを伝達するように適合されたＵＰ機能エンティティのための方法であって、
トンネルプロトコルヘッダ中にカプセル化され、ＵＥコンテキストのトンネル識別子部分によって示されるＰＤＵを、ＡＮから受け取ること（１５４）、
前記ＵＰ機能エンティティが前記アップリンクＰＤＵを受け取り、前記ＵＥコンテキストが存在しない場合に、前記ＵＰ機能エンティティが制御プレーン機能エンティティに前記ＵＥコンテキストを要求して前記ＵＥコンテキストを記憶すること（１６０）、
前記ＵＰ機能エンティティが、ＩＰ  ＰＤＵタイプの場合にＰＤＵ宛先ＩＰアドレスを利用して前記ＰＤＵをデータネットワークに転送すること（１６２）
を含む方法。
【請求項１０】
最終ＰＤＵマーキングに従って、または非アクティブ性により、前記ＵＥコンテキストを除去すること（１６４）を含む、請求項９に記載の方法。
【請求項１１】
データを低頻度で送るＵＥに小さいダウンリンクＰＤＵを伝達するように適合されたＵＰ機能エンティティのための方法であって、
前記ＵＥがネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、
移動体によって終端されるダウンリンクＰＤＵを受け取ること（１７０）、
ＵＥコンテキストが存在しない場合に、前記ＵＥコンテキストをＳＭ機能ノードに要求して前記ＵＥコンテキストを記憶すること（１７２）、
前記ＰＤＵをトンネルプロトコルヘッダ中にカプセル化し、前記ＵＥコンテキストのＡＮトンネル識別子部分によって識別されるＡＮに前記ＰＤＵを転送すること（１７４）
を含む方法。
【請求項１２】
非アクティブ性により前記ＵＥコンテキストを除去すること（１８６）を含む、請求項１１に記載の方法。
【請求項１３】
アクセスノード（ＡＮ）のための方法であって、前記ＡＮが、セッション管理（ＳＭ）機能ノードまたは制御プレーン（ＣＰ）機能エンティティと、ユーザプレーン（ＵＰ）機能エンティティと、ポリシ制御エンティティ（ＨＳＳ、ポリシＣＴＲＬ）と、データネットワークとを含むシステム中で対話するように適合され、
前記ＡＮが、低頻度の小さいパケットデータユニット（ＰＤＵ）をユーザエンティティ（ＵＥ）との間で通信するための接続確立フローまたはアタッチプロシージャに加わるように適合され、
リソース、アップリンクトンネル情報、およびＵＥコンテキストをセットアップする要求を前記ＳＭ機能ノードから受け取ること（１３４）、
前記ＵＥコンテキストを記憶すること（１３６）、
セッションセットアップ応答を前記ＵＥに送信すること（１３８）、
前記ＵＥをＲＲＣ非アクティブ接続状態に移すこと（１４４）
を含む方法。
【請求項１４】
前記ＵＥが前記ネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、
アップリンクＰＤＵを受け取ること（１５２）、
前記ＰＤＵをトンネルプロトコルヘッダ中にカプセル化し、前記ＵＥコンテキストのトンネル識別子部分によって示される前記ＵＰ機能エンティティに前記ＰＤＵを転送すること（１５４）、
前記ＵＥをＲＲＣ非アクティブ接続状態に移すこと（１５８）
を含む、請求項１３に記載の方法。
【請求項１５】
前記ＵＥが前記ネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、
ダウンリンクＰＤＵを受け取ること（１７８）、
前記ＰＤＵを転送すること（１８０）、
前記ＵＥをＲＲＣ非アクティブ接続状態に移すこと（１８４）
を含む、請求項１３または１４に記載の方法。
【請求項１６】
小さい低頻度のデータが、事前規定済みのデータ使用タイプに関係し、前記事前規定済みのデータ使用タイプが、モバイルブロードバンドデータなどのデータ使用タイプとは異なるものであり、かつ、前記モバイルブロードバンドデータ使用タイプに対して低頻度のデータ使用と、前記モバイルブロードバンドデータ使用タイプよりも少ない量のデータとを伴うものである、請求項７から１５のいずれか一項に記載の方法。
【請求項１７】
請求項７から１６のいずれか一項に記載のプログラムまたはコンピュータプログラム製品。
【請求項１８】
セッション管理（ＳＭ）機能ノードまたは制御プレーン（ＣＰ）機能エンティティと、ユーザプレーン（ＵＰ）機能エンティティと、ポリシ制御エンティティ（ＨＳＳ、ポリシＣＴＲＬ）と、データネットワークとを含むシステム中で対話するように適合されたアクセスノード（ＡＮ）であって、プロセッサ（ＰＣＵ＿Ａ）と、命令が記憶されたメモリ（ＭＥＭ＿Ａ）とを備え、
低頻度の小さいパケットデータユニット（ＰＤＵ）をユーザエンティティ（ＵＥ）との間で通信するための接続確立フローまたはアタッチプロシージャに加わること、
リソース、アップリンクトンネル情報、およびＵＥコンテキストをセットアップする要求を前記ＳＭ機能ノードから受け取ること（１３４）、
前記ＵＥコンテキストを記憶すること（１３６）、
セッションセットアップ応答を前記ＵＥに送信すること（１３８）、
前記ＵＥをＲＲＣ非アクティブ接続状態に移すこと（１４４）
を行うように設定された、アクセスノード（ＡＮ）。
【請求項１９】
前記ＵＥが前記ネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、
アップリンクＰＤＵを受け取ること（１５２）、
前記ＰＤＵをトンネルプロトコルヘッダ中にカプセル化し、前記ＵＥコンテキストのトンネル識別子部分によって示される前記ＵＰ機能エンティティに前記ＰＤＵを転送すること（１５４）、
前記ＵＥをＲＲＣ非アクティブ接続状態に移すこと（１５８）
を行うように設定された、請求項１８に記載のアクセスノード。
【請求項２０】
前記ＵＥが前記ネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、
ダウンリンクＰＤＵを受け取ること（１７８）、
前記ＰＤＵを転送すること（１８０）、
前記ＵＥをＲＲＣ非アクティブ接続状態に移すこと（１８４）
を行うように設定された、請求項１８または１９に記載のアクセスノード。
【発明の詳細な説明】
【技術分野】
【０００１】
本発明は、いわゆる低頻度の小さいデータのための送達方法および装置を対象とする。より詳細には、本発明は、低頻度の小さいデータの効率的な送信を可能にする５Ｇシステムおよび方法に関する。
【背景技術】
【０００２】
無人ワイヤレスデバイスがＬｏｎｇ−Ｔｅｒｍ  Ｅｖｏｌｕｔｉｏｎ（ＬＴＥ）セルラーネットワークを介してデバイスのデータを送る、マシン型通信（ＭＴＣ）への取組みが、当技術分野でなされてきた。「Ｅｆｆｉｃｉｅｎｔ  Ｓｍａｌｌ  Ｄａｔａ  Ａｃｃｅｓｓ  ｆｏｒ  Ｍａｃｈｉｎｅ−Ｔｙｐｅ  Ｃｏｍｍｕｎｉｃａｔｉｏｎｓ  ｉｎ  ＬＴＥ」、Ｓｅｒｇｅｙ  Ａｎｄｒｅｅｖ他、ＩＥＥＥ  ＩＣＣ２０１３−次世代ネットワーキングシンポジウム、３５６９頁、２０１３年では、ＭＴＣ展開を達成する方法が開示されており、このＭＴＣ展開は、非常に多数のデバイスを特色とするが、一方、特定のデバイスからのデータは、低頻度かつ小さい場合がある。この論文は、デフォルトＰＵＣＣＨ（物理アップリンク制御チャネル）ベースの方式にも、代替ＰＲＡＣＨ（物理ランダムアクセスチャネル）ベースの方式にも基づかない、競合ベースのＬＴＥ送信メカニズムを提案している。このメカニズムは、より少数のＬＴＥシグナリングメッセージを有する単純な実装形態を成し、ＭＴＣデバイスのためのよりよいネットワークリソース使用およびより少ない電力消費を提供するように意図される。
【０００３】
３ＧＰＰ  ＴＲ２３．７９９  Ｖ０．５．０（２０１６−０５）Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎ  Ｓｙｓｔｅｍは、次世代移動体ネットワークのためのシステムアーキテクチャについて述べている。この新しいアーキテクチャは、少なくとも、新しいＲＡＴ（無線アクセス技術）、エボルブドＥ−ＵＴＲＡ（エボルブドＵＭＴＳ地上無線アクセス）、非３ＧＰＰアクセス、および最小化されたアクセス依存性をサポートする。
【発明の概要】
【０００４】
４Ｇや３Ｇなどにおける３ＧＰＰコアネットワークに関するレガシーアーキテクチャは、シグナリング集約的である。このレガシーアーキテクチャは、コアネットワークを介して接続をセットアップすることに基づき、したがって、ＰＤＮ（パケットデータネットワーク）接続またはＰＤＰコンテキスト（パケットデータプロトコル（ＰＤＰ、例えばＩＰ、Ｘ．２５、フレームリレー）コンテキスト）と呼ばれる。使用されるプロトコルは、ＧＴＰ（ＧＰＲＳトンネリングプロトコル）プロトコルである。ＣＰ（制御プレーン）中でのＧＴＰシグナリングを使用して、ユーザプレーン中でのＧＴＰ−Ｕ（ＧＴＰ−ユーザプレーン）接続がセットアップされる。ユーザプレーンは、コアネットワーク（ＮＷ）を介したルートを用いて事前確立され、コネクティビティがシグナリングによってアクティブ化された後で、ＮＷを介してデータが転送されることが可能である。
【０００５】
ブロードバンド送達にコネクティビティ指向の方法を使用することには、保証ビットレートの提供、ポリシ、課金など、多くの理由がある。しかし、いくつかの使用事例は、この機能性のすべてを必要とはしないことがあり、低頻度の小さいデータは、そうした使用事例であろう。小さいデータについての４Ｇには、Ｄｏ−ＮＡＳ（データオーバーＮＡＳ（ネットワークアクセス層））など、小さいデータのための他の最適化も存在するが、Ｄｏ−ＮＡＳは、制御ノードを通るシグナリングチャネルを介してデータを送るという欠点を有する。
【０００６】
ある問題は、レガシー３ＧＰＰアーキテクチャによってもたらされる制約なしに、低頻度の小さいデータを送るアプリケーションに対して５Ｇにおけるコアネットワーク中でのシグナリングを制限することである。低頻度の小さいデータのサービスの低頻度性質のせいで、ＮＷ中で状態を保持するための要件が、ＮＷ中のメモリおよび他のリソースを浪費することがある。メモリ管理の最適化もまた求められる。
【０００７】
したがって、本発明の第１の目的は、５Ｇネットワークにおける低頻度の小さいデータの送信を改善するための方法および装置を示すことである。
【０００８】
本発明の第１の態様によれば、アクセスノード（ＡＮ）と、セッション管理（ＳＭ）機能ノードまたは制御プレーン（ＣＰ）機能エンティティ（ＳＭ）と、ユーザプレーン（ＵＰ）機能エンティティと、ポリシ制御エンティティ（ＨＳＳ、ポリシＣＴＲＬ）とを含むシステムが提供され、システムはデータネットワークと対話する。システムは、低頻度の小さいパケットデータユニット（ＰＤＵ）をユーザエンティティ（ＵＥ）との間で通信するための接続確立フローまたはアタッチプロシージャを実施するように適合される。システムは、ＵＥがセッションセットアップ要求を開始すると（１２０）、ＳＭ機能ノードが、ＵＥに関連するＵＰ機能エンティティおよびトンネル識別子を選択し（１２６）、ＩＰ  ＰＤＵセッションタイプの場合に、ＳＭ機能ノードがＵＰ機能エンティティとＳＭ機能ノードとの間でのユーザプレーン（ＵＰ）の確立をトリガして、ＵＥコンテキストがＵＰ機能エンティティ中で作成され（１３０）、ＳＭ機能ノードがＵＥコンテキストを記憶し（１３２）、ＳＭ機能ノードが、制御プレーン（ＣＰ）中で、かつ任意選択でＵＰ中で、確立を完了して、アップリンクトンネル情報をＡＮに提供し（１３４）、ＡＮがＵＥコンテキストを記憶し（１３６）、ＡＮが応答をＵＥに送信する（１３８）ように、適合される。
【０００９】
本発明のさらに他の態様によれば、セッション管理（ＳＭ）機能ノードまたは制御プレーン（ＣＰ）機能エンティティのための方法が提供され、ＳＭ機能ノードはアクセスノード（ＡＮ）およびＵＰ機能エンティティと対話し、ＵＰ機能エンティティはさらにデータネットワークと対話する。ポリシ制御エンティティ（ＨＳＳ、ポリシＣＴＲＬ）もまた提供される。ＳＭ機能ノードは、低頻度の小さいパケットデータユニット（ＰＤＵ）をユーザエンティティ（ＵＥ）との間で通信するための接続確立フローまたはアタッチプロシージャに加わるように適合され、この方法は、ＳＭ機能ノードが、セッションセットアップ要求をＵＥから受け取ること（１２０）、ＵＥに関連するＵＰ機能エンティティおよびトンネル識別子を選択すること、ＩＰベースのＰＤＵタイプの場合に、ＵＰ機能エンティティとＳＭ機能ノードとの間でのユーザプレーン（ＵＰ）の確立をトリガすることであって、それによりＵＥコンテキストがＵＰ機能エンティティ中で作成されること、ＵＥコンテキストを記憶すること、制御プレーン（ＣＰ）中での確立を完了してアップリンクトンネル情報をＡＮに提供すること、を含む。
【００１０】
本発明のさらに他の態様によれば、データを低頻度で送るＵＥに小さいダウンリンクＰＤＵを伝達するように適合されたＵＰ機能エンティティのための方法が提供される。ＵＥはネットワークにアタッチされ、ＰＤＵセッションが確立され、ＵＥはＲＣＣ非アクティブ接続状態にあり、ＵＰ機能エンティティ中で現在、ＵＥコンテキストは確立されておらず、この方法は、移動体によって終端されるダウンリンクＰＤＵを受け取ること、ＵＥコンテキストが存在しない場合に、ＵＥコンテキストをＳＭ機能ノードに要求してＵＥコンテキストを記憶すること、ＰＤＵをトンネルプロトコルヘッダ中にカプセル化して、ＵＥコンテキストのＡＮトンネル識別子部分によって識別されるＡＮにＰＤＵを転送すること、を含む。
【００１１】
本発明のさらに他の態様によれば、アクセスノード（ＡＮ）のための方法が提供される。ＡＮは、セッション管理（ＳＭ）機能ノードまたは制御プレーン（ＣＰ）機能エンティティと、ユーザプレーン（ＵＰ）機能エンティティと、ポリシ制御エンティティ（ＨＳＳ、ポリシＣＴＲＬ）と、データネットワークとを含むシステム中で対話するように適合される。ＡＮは、低頻度の小さいパケットデータユニット（ＰＤＵ）をユーザエンティティ（ＵＥ）との間で通信するための接続確立フローまたはアタッチプロシージャに加わるように適合され、この方法は、リソース、アップリンクトンネル情報、およびＵＥコンテキストをセットアップする要求をＳＭ機能ノードから受け取ること、ＵＥコンテキストを記憶すること、セッションセットアップ要求をＵＥに送信すること、ＵＥをＲＲＣ非アクティブ接続状態に移すこと、を含む。
【００１２】
本発明のさらに他の態様によれば、アクセスノード（ＡＮ）が提供される。ＡＮは、セッション管理（ＳＭ）機能ノードまたは制御プレーン（ＣＰ）機能エンティティと、ユーザプレーン（ＵＰ）機能エンティティと、ポリシ制御エンティティ（ＨＳＳ、ポリシＣＴＲＬ）と、データネットワークとを含むシステム中で対話するように適合され、ＡＮは、プロセッサと、命令が記憶されたメモリとを備える。ＡＮは、低頻度の小さいパケットデータユニット（ＰＤＵ）をユーザエンティティ（ＵＥ）との間で通信するための接続確立フローまたはアタッチプロシージャに加わることを行うように設定され、さらに、リソース、アップリンクトンネル情報、およびＵＥコンテキストをセットアップする要求をＳＭ機能ノードから受け取ること、ＵＥコンテキストを記憶すること、セッションセットアップ応答をＵＥに送信すること、ＵＥをＲＲＣ非アクティブ接続状態に移すこと、を行うように設定される。
【００１３】
この目的を達成するためのコンピュータプログラムおよびコンピュータプログラム製品も提供される。
【００１４】
本発明のさらに他の利点は、本発明に関する後続の詳細な記述から明らかになるであろう。
【図面の簡単な説明】
【００１５】
【図１】低頻度の小さいデータのアーキテクチャを示す図である。
【図２】本発明の実施形態による、低頻度の小さいデータに最適化されたＳＭ（セッション管理）状態を示す図である。
【図３】低頻度の小さいデータおよびセッション状態に関する例示的なシナリオを示す図である。
【図４】アタッチプロシージャに関する例示的なシグナリングフローを示す図である。
【図５】図４に対してさらに詳細に示す図である。
【図６】低頻度の小さいデータのアップリンクパケットを送るための例示的なシグナリングフローである。
【図７】低頻度の小さいデータのダウンリンクパケットを送るための例示的なシグナリングフローである。
【図８】低頻度の小さいデータの肯定応答されるアップリンクパケットを送るための例示的なシグナリングフローである。
【図９】さらに他の代替実施形態によるアタッチプロシージャを示す図である。
【図１０】さらに他の代替実施形態によるアップリンクＰＤＵ（プロトコルデータユニット）伝達を示す図である。
【図１１】さらに他の代替実施形態によるダウンリンクＰＤＵ伝達を示す図である。
【図１２】アクセスノード（ＡＮ）、モビリティ管理ノード（ＭＭ）、セッション管理ノード（ＳＭ）、ユーザプレーンゲートウェイ（ＵＰ−ＧＷ）、およびユーザエンティティの実施形態を示す図である。
【図１３】クラウド実装形態を示す図である。
【発明を実施するための形態】
【００１６】
本発明の一実施形態は、セッション管理に関する前述の文書ＴＲ２３．７９９  Ｖ０．５．０、５．４（キーイシュー４）に関する。このキーイシューは、ユーザが低頻度の小さいユーザデータを最小限のシグナリングで送るシナリオを扱う。キーイシュー４の下での要件は、「低頻度の小さいユーザデータを伝達する」ことに対処するものである。これらの要件は、以下のように記載されている。
−  次世代システムを介して低頻度の少量データをどのように効率的に送受信するか（このようなサービスを可能にするためにセッションを確立する必要があるかどうかの検討を含めて）。
−  ソリューションは、単方向送信（すなわちアップリンクまたはダウンリンクのみの送信）と、ユーザおよび／またはオペレータのニーズに応じた効率的なセキュリティメカニズムと、アドレス指定、課金、ポリシング、オペレータ間インターワーキングに関する種々のオプションと、を可能にすべきである。
【００１７】
考察
上のセクションで挙げた要件は、第１の項目におけるような性能比の最適化、ならびに第２の項目におけるような効率的な機能的ソリューションに言及している。本発明の実施形態により性能問題に対処することは、新無線（ＮＲ）システム中のシグナリングおよび他のリソースに対して相対的な、システムを介して送信される最適化された有用な量のユーザデータを得ることを伴う。また、ＵＥ電池消耗など、シグナリングに主に関係する他のコストを考慮することもできる。
【００１８】
シグナリング
登録されたＵＥ（ユーザエンティティ）に関するシグナリングは、モビリティシグナリングおよびセッション管理によるものである可能性がある。モビリティは、ＴＲ２３．７９９  Ｖ０．５．０、５．３（キーイシュー番号３）モビリティ管理フレームワークにおいて考察されている。さらに、低頻度の小さいデータのデバイスの多くは、種々のセンサなど、静止しているものと考えられる。この種の非移動体デバイスは、ＲＡＮ（無線アクセスネットワーク）における新しい非アクティブ状態に関係するＲＡＮグループの下で進行中の作業によって最適化されるであろう。
【００１９】
送信コネクティビティの維持に関係するＳＭ（セッション管理）シグナリングは、従来、ＮＷ中でコネクティビティ状態を保持すること、およびＵＥコンテキストを異なるコネクティビティ状態間で「移す」ことによって行われてきた。このタイプのシグナリングの効率は、シグナリングの量と、システムを介して伝達されるデータの量との比率によって測定することができる。このコスト比は、データセッションの長さに直接に依存する。小さいデータのシグナリングコストは、長いデータシーケンスを１つのコネクティビティシグナリング段階内で伝達するためのコストと比較して、高いことになる。本発明の実施形態によれば、状態遷移を削減すること、および関係するシグナリングを節約することによって、小さいデータのための最適化を達成することができる。
【００２０】
メモリ管理
ＮＷにおいてＵＥ状態情報をコンテキスト中で保持することは、機能性の効率的な扱いを確実にするとともに、３ＧＰＰサービスのユーザおよびオペレータに提供される期待されるセキュリティにも応える。しかし、メモリコスト比は、アプリケーションアクティビティの頻度に関係することになり、低頻度のアプリケーションの場合、ＮＲ  ＮＷ中で継続的なメモリ状態を保存するコストは、短期間のアクティビティに対して相対的に高いことになる。したがって、本発明の実施形態によれば、ＮＷ  ＵＥコンテキストメモリを保持するのは重要だが、その扱いが最適化のための一候補である。
【００２１】
機能的側面
単方向送信、すなわちアップリンクまたはダウンリンクのみの送信：
低頻度の小さいデータについて単方向送信を考慮することができるが、単方向送信は、このタイプのアプリケーションに対する内在的に固有の要件ではない。この側面についてのソリューションには、他のタイプのサービスとの違いはないはずである。
【００２２】
ユーザおよび／またはオペレータのニーズに応じたセキュリティメカニズム：
セキュリティの側面は、低頻度の小さいデータについても他のタイプのサービスと同様にして扱うことができる。これは、モビリティ管理のための制御プレーン方法と、ＰＤＵ（プロトコルデータユニット）セッションコンテキストをセットアップするセッション管理とに依拠する、またＲＡＮ内で規定されるデータ保全性および保護に依拠する、統合メカニズムを介して、扱うことができる。統一された方法を使用して、３ＧＰＰは、すべてのタイプのアプリケーションに対してセキュリティを保証することができる。
【００２３】
アドレス指定に関する種々のオプション：
アドレス指定オプションは、ＩＰおよび非ＩＰデータ、ならびに潜在的にイーサネットなどを含む。方法は、一般的なセッション管理についてのセクションに記載のように、ＩＰまたは非ＩＰデータのためのＰＤＵセッションをセットアップすることを含む。（各ＰＤＵセッションは、どんなＰＤＵタイプがＰＤＵセッションによって搬送されるかを示すＰＤＵセッションタイプに関連付けられる。ＰＤＵセッションタイプは、ＩＰタイプ、イーサネットタイプ、または非ＩＰタイプである場合がある。）また、低頻度の小さいデータのサービスは、ＣＮ  ＣＰ中でのＰＤＵセッションの管理によってカバーされることになる。
【００２４】
課金、ポリシング、オペレータ間インターワーキングに関する種々のオプション：
ＮＲ中でのＰＤＵセッション管理方法において小さいデータのアプリケーションを統合することによって、課金、ポリシング、およびインターワーキングのＣＮ  ＰＤＵセッション処理の側面は、小さいデータのための特定の実装形態を必要としないことになる。
【００２５】
上記に基づき、低頻度の小さいデータに関する様々な実施形態が提供される。
【００２６】
いくつかの実施形態は、以下の原理に基づく。
−  モビリティ管理に関するＲＡＮにおいて行われた作業を考慮に入れて、ＴＲ２３．７９９のセクション６．３．２の下ですでに提供されたソリューションが再使用される。ＲＲＣ非アクティブ接続／ＲＲＣ接続状態の方法が使用される。ＣＮ中のＵＥコンテキストは、接続状態に維持される。ＴＲのセクション６．３．２で言及されるように、ＳＭコネクティビティシグナリングは最小限に抑えられる。
ＲＲＣ非アクティブ接続状態からＲＲＣ接続状態への遷移は、Ｒｅｌ−１３においてＬＴＥについて規定された中断および再開プロシージャからの示唆を受けたものである。さらに、この遷移を実施するのに、ＣＮへのシグナリングは必要ない。
−  ＲＡＮにおけるＲＲＣ（無線リソース制御）非アクティブ接続／ＲＲＣ接続状態の方法を使用して、データは専用データチャネル中で送られる。ＲＡＮはこれを、効率的な無線通信のための重要な課題と見なしている。
−  さらに、ＲＡＮにおいて作業進行中の、小さいデータのための他の最適化も活用される。
−  低頻度の小さいデータは、ＵＥコンテキスト状態およびプロシージャを保存することによってＣＮ制御プレーン中でＰＤＵセッションを扱うための包括的なＳＭ方法を利用するセッション管理によって、サポートすることができる。
−  ＣＰ（制御プレーン）／ＵＰ（ユーザプレーン）分離環境における低頻度の小さいデータのＮＲ  ＣＮ処理を最適化するために、ＣＮユーザプレーン中でのコンテキスト情報の維持が問題とされる。新しい接続状態をＣＮ中で導入することが提案され、それにより、ＣＮ  ＣＰはデバイスについてのコンテキストを維持するが、一方、ＣＮ  ＵＰは、長期間のＵＥ非アクティブ性の間はＵＥ状態情報を保存する必要はない。ＣＮ  ＵＰ中のリソースおよびメモリは、他のユーザのために解放される。ＵＥコンテキスト状態がＣＮ  ＣＰ中で保存されるので、ＣＮ  ＵＰは、必要時にＵＥコンテキストをＣＮ  ＣＰからフェッチすることができる。ＣＮ  ＵＰ中でＵＥコンテキスト情報をこのように扱うことは、効率的なＣＮ  ＵＰのための任意選択の最適化であることに留意されたい。
【００２７】
本発明の態様によれば、コアネットワーク（ＣＮ）の５Ｇアーキテクチャを、以下の基本的な要件および特徴を有するように配置構成することができる。
−  送達は、ＩＰ（インターネットプロトコル）ベースまたは非ＩＰベースとすることができる。
−  この方法は、５Ｇ向けに開発されたＲＡＮにおける方法を使用することに基づき、具体的には、「ＲＲＣ非アクティブ接続／アクティブ接続」状態、およびこれらの状態の潜在的な最適化に基づく。
−  ＣＮ  ＣＰ  ＵＥコンテキストが、アタッチまたはセッションセットアップにおいて確立される。
−  ＣＮ  ＣＰは、ＰＤＵセッションが維持される限り、ＵＥ  ＰＤＵセッションコンテキストを保存する。
−  ＣＮ  ＵＰは、ＵＥの非アクティブ期間中、ＵＥ状態情報を保存するのをやめることができる。
−  ＵＥを発端または終端とするパケットがＵＰ中で転送される必要があるとき、ＣＮ  ＵＰコンテキストおよびコネクティビティが確立される。
−  パケットがＵＥとの間で転送された後、ＵＥコンテキストは短時間にわたりＣＮ  ＵＰ中で保たれて、サーバがＵＥとの間で例えばＡＣＫ（肯定応答メッセージ）を送ることが容易にされる。
【００２８】
本発明のさらに他の態様によれば、本発明の実施形態の様々なパケット転送方法は、以下の特性を有する。
【００２９】
アップリンク送信：
・  ＵＥが、パケットをＡＮ（アクセスノード）に送信する。
・  ＡＮが、「休眠状態」（ＵＥの既存の状態）を使用し、ＣＰ中で「セッション作成」中に確立されたＵＥ  ＣＮコンテキスト識別子（ＵＥ  ＴＥＩＤ（トンネルエンドポイント識別子）、ＣＰ  ＩＤなど）を付加する（「休眠状態」は、３ＧＰＰではＲＬＣ非アクティブ接続状態と呼ばれる。したがって、ＲＡＮでは、２つのＲＬＣ（無線リンク制御）状態、すなわちＲＬＣ非アクティブ接続状態およびＲＬＣアクティブ接続状態がある。）
・ＣＮ  ＵＰが、認識されないＵＬパケットをＡＮから取得し、ＡＮから受け取ったパラメータに基づいてＵＥコンテキストをＣＰからフェッチする。
・  ＣＮ  ＵＰが、ＵＥコンテキストをＣＰから受け取り、パケットを宛先に向けて転送する。
・  ＣＮ  ＵＰが、タイマベースの時間、またはパケット中のエンドマーカに基づく時間にわたり状態を保持し、次いでＵＥがＵＥ状態を削除する。
【００３０】
ダウンリンク送信：
・  外部サーバが、ＵＥコンテキスト識別子をパケットに付加する（ＵＥ  ＩＰアドレスまたは非ＩＰ  ＩＤ）。
・  ＣＮ  ＵＰが、認識されないパケットをＮＧｉインタフェースから取得し、受け取ったパラメータ（ＵＥ  ＩＰアドレスまたは非ＩＰ  ＩＤ）に基づいてＵＥコンテキストをＣＰからフェッチする。
・  ＣＮ  ＵＰが、ＵＥコンテキストをＣＰから受け取り、その中のパラメータを使用してパケットをＡＮに転送する。
・  ＣＮ  ＵＰが、タイマベースの時間にわたり状態を保持し、次いでＵＥ状態を削除する。
【００３１】
最適化された送達方法を使用することによって、ＵＥが結局スリープしているであろうときに長時間にわたりＣＮ  ＵＰコンテキストをセットアップおよび維持するためのシグナリングが節約される。サービス要求プロシージャは必要ない。ユーザデータに対するシグナリングの比率は、３Ｇ／４Ｇに対して相対的に改善される。ＣＮ  ＵＰ中でのリソースの割振りおよびロックアップは最小限に抑えられる。メモリは解放される。より少ないＵＥシグナリングが達成され、よりよい電池節約が達成される。
【００３２】
図１に、低頻度の小さいデータの例示的なアーキテクチャ、および高レベルの方法（例示的なアップリンクパケット）が示される。
【００３３】
このアーキテクチャは、制御プレーン（ＣＰ）とユーザプレーン（ＵＰ）との分離に基づいており、ＣＰは、モビリティ管理（ＭＭ）エンティティおよびセッション管理（ＳＭ）ノードおよびポリシ制御（ＰＣ）からなる。ユーザプレーンは、アクセスネットワーク（ＡＮ。ＲＡＮとも呼ばれる）およびＣＮユーザプレーン（ＵＰ／ＧＷ）からなる。ＣＮ  ＵＰは、ＵＥの非アクティブ期間中はステートレスであるものとすることができる。ＣＰ中に存在するＵＥコンテキストに基づいて、いくつかのサービスがＣＮ中で利用可能であることがある。３ＧＰＰ領域外部に、アプリケーション機能（ＡＦ）がある。
【００３４】
図２に、低頻度の小さいデータに最適化された状態機械が示される。セッション状態は、低頻度の小さいデータを少なくとも送受信するように適合されたＵＥの、コアネットワークから見た状態を反映する。
【００３５】
ＰＤＵセッション状態は、図２にさらに示される「セッション作成」方法によって作成され、図２は、状態Ｐ１、Ｐ２、およびＰ３を含む。「ＰＤＵセッションなし」状態Ｐ１が提供される。さらに、ＳＭ（セッション管理）ＰＤＵセッション状態が提供され、この状態は、「ＣＰのみ」状態Ｐ２と「ＣＰ＋ＵＰ」状態Ｐ３の２つの下位状態のうちのどちらかとすることができる。「ＣＰのみ」状態Ｐ２では、制御プレーン（ＣＰ）中のＵＥコンテキストしか存在せず、ユーザプレーン（ＵＰ）中にはＵＥについてのコンテキストはない。一方、「ＣＰ＋ＵＰ」状態Ｐ３では、ＣＰプレーンとＵＰプレーンの両方でＵＥについてのコンテキストが存在する。下位状態間の遷移が図２でさらに規定される。
【００３６】
状態遷移は、次の方法で行われることが可能である。すなわち、状態Ｐ１にある場合に、コネクティビティ要求または応答１２がＰ２への遷移をもたらし、ＵＥデタッチもしくはコネクティビティ解放（電池低下による時間切れなどに応じた）または他の終了発生１４が、Ｐ２からＰ１への遷移をもたらす。Ｐ２では、データパケットの受信１１がＰ３への遷移をもたらし、一方、Ｐ３では、非アクティブ性時間経過１２が状態Ｐ２への遷移を引き起こす。
【００３７】
遷移は、未知のＵＥへのパケットがＵＰに到着することによって、または時間切れによって、トリガされることがある。未知のＵＥへのパケットがＵＰに到着すると、ＵＰは、ＵＥを識別するパケット中のパラメータの助けにより、ＵＥコンテキストをＣＰプレーンからフェッチすることになる。ＵＥコンテキストがＵＰプレーンに送られると、ＳＭ状態機械は、「ＣＰ＋ＵＰ」状態に遷移する。「ＣＰ＋ＵＰ」状態でＵＰに到着したパケットは、ＵＰが直接に扱って転送することができる。時間切れの後、ＵＥコンテキストはＵＰ中で削除され、ＳＭ状態は「ＣＰのみ」状態に遷移する。この状態では、ＵＥコンテキストはＣＰプレーンで存在し続ける。
【００３８】
図３に、低頻度の小さいデータに関する例示的なシナリオが概略的に示される。前述の３つの状態Ｐ１、Ｐ２、およびＰ３が示されている。最初に時間ｔ１で、低頻度の小さいデータの送受信に適合されたユーザエンティティが使用される。最初は、ＵＥの状態は、ＰＤＵセッションなし状態Ｐ１をとっている。ユーザエンティティは、ｔ２でアクセスネットワークにアタッチして状態Ｐ２（制御プレーンのみ）に入り、時間ｔ３で、状態Ｐ３（ＣＰ＋ＵＰ）に入り、それにより、ユーザエンティティは、コアネットワークに登録し、例えばデータネットワーク（ＤＮ）中のアプリケーションサーバ（ＡＳ）から、ＰＤＵを送信／受信する。
【００３９】
センサ（アラームまたは故障インジケータ、および計測システムなど）の分野に通常向けられた、いくつかの小データサービスは、データ送信のデューティ時間に関係する長期間の非アクティブ性を特徴とすることがあることに留意されたい。したがって、図３のタイミングプロパティは、直接に代表するものではなく例証に過ぎないものと理解されたい。
【００４０】
図３の例に関して、時間ｔ５で、ユーザエンティティは非動作になり、非アクティブ性／休眠状態の期間に入る。この期間は、コアネットワークから見ると、状態Ｐ２として扱われる。何らかの時点ｔ６で、電池が放電されることがあり、ＵＥからのキープアライブ信号などが存在しないことがある。その結果、コアネットワークは、ＵＥをデタッチし、ＵＥのためのコネクティビティを解放することができる。
【００４１】
以下では、関連する様々なプロシージャについて、状態Ｐ１、Ｐ２、およびＰ３を例証する。
【００４２】
図４に、低頻度の小さいデータのためのアタッチおよびＰＤＵセッション作成の初期段階の詳細なシグナリングフロー、ならびにデータ送信が示される。非ＩＰデータのケースが示されるが、ＩＰデータのケースも同様のプロシージャに従うことに留意されたい。非ＩＰのケースは、ＩＰ通信プロトコルを使用しないＵＥの場合のものである。他の何らかのプロトコルが使用されてもよく、他の何らかの識別子、おそらくは特定用途向けの識別子が、ＩＰアドレスの代わりに使用されて、ＵＥが識別される。ＩＰのケースでは、ＩＰアドレスはＣＮによってＵＥに割り当てられることになる。ステップ３２で、ＵＥは、初期状態Ｐ１（ＰＤＵセッションなし）で、アタッチ要求をＭＭに送信する。
【００４３】
ＵＥは、ＭＭを介して証明書加入データを交換しており、ＵＥは、加入データをＨＳＳ（ホーム加入者サーバ）から取得し、コアネットワークの前に認証される（３３）。
【００４４】
ＭＭは、コネクティビティ要求を発行する（３４）。この要求については、ＵＰは確立されず、関連パラメータがセッションに割り当てられる。ＳＭは、当該のＵＥのＰＤＵセッションのために、ＵＰ−ＧＷトンネル識別およびＣＰトンネルを割り振る（３５）。
【００４５】
ＳＭは、ＵＥコンテキストを記憶する（３６）。このＵＥコンテキストは、例えば、ＩＭＳＩ（国際移動体加入者識別）、デバイス識別（ＤＥＶ．ＩＤ．）、ＵＰ−ＧＷトンネル識別、およびＣＰトンネル識別を含む。
【００４６】
ＳＭは、ＵＰ−ＧＷトンネル識別およびＣＰトンネル識別を含むコネクティビティ応答メッセージでＭＭに応答する（３７）。この時点で、コアネットワークは状態Ｐ２（制御プレーンのみ）に入る。
【００４７】
その後、ＭＭは、アタッチ受諾メッセージをＡＮに発行する（３８）。そしてＡＮは、ＲＲＣセットアップメッセージ／アタッチ受諾メッセージでＵＥに応答する。
【００４８】
プロシージャは継続し、次に図５に移ると、ＡＮは、どのようにＣＮ  ＣＰ中でＵＥに到達するかについての関連パラメータを、コンテキストに記憶する（４１）。
【００４９】
その後でＵＥから非アクティブ性が生じると、ＳＭは、ＵＥコンテキストを保持しながら状態Ｐ２に留まり（４３）、ＡＮは、ＲＲＣ非アクティブ性接続状態に入る（４４）。
【００５０】
最終的に、例えばＵＥが応答しないときまたはキープアライブ信号をＡＮに送らないとき、ＡＮからのコネクティビティ解放がＵＥに提供され（４５）、ＵＥは休眠状態に入っている。
【００５１】
次に図６に移ると、アップリンク送信の方法が示される。この実施形態は、図５でＵＥコンテキストがＡＮに記憶される４１に対応するステージ５１から開始するように示されている。
【００５２】
ステップ５２では、ステップ３６で提供されたＵＥコンテキストが、ＳＭに記憶されたままである。
【００５３】
ＵＥは、無線ベアラ再開プロシージャに関するメッセージをＡＮと交換する（５３）。
【００５４】
次いで、ＵＥは、ＰＤＵをＡＮに送信する（５４）準備ができ、ＡＮは、ＰＤＵをＵＰ−ＧＷに転送する（５５）。このＰＤＵは、コアネットワークが状態Ｐ２（ＣＰのみ）をとっている間に送信される。
【００５５】
小さいデータが送信された後、ＵＥおよびＡＮは、無線ベアラ中断プロシージャを実施し（５６）、ＡＮは、ＲＲＣ非アクティブ接続状態をとる（６０）。しかし、コアネットワークは状態Ｐ３をとる。
【００５６】
６１で、セッション要求がＵＰ−ＧＷからＳＭに送信され、ＳＭは、セッション応答で応答する（６３）。コアネットワークは状態Ｐ３をとる。一方、ＵＥは非アクティブである（６２）。
【００５７】
次に、ＵＰ−ＧＷは、ＰＤＵをデータネットワーク中のＡＳに転送し（６４）、コアネットワークは状態Ｐ２に戻る。
【００５８】
ＵＰ−ＧＷはＵＥコンテキストを除去し（６５）、ＵＥは非アクティブのままである（６６）。
【００５９】
ＭＭはＵＥコンテキストを更新し（６７）、ＳＭはＵＥコンテキストを更新する（６８）。
【００６０】
図７に、ダウンリンクトラフィックに関する一実施形態が示される。この場合も、ＵＥは、図５のステップ４２、４３、および４４に示されたように、ＡＮへのアタッチを経ており、ＡＮはＲＲＣ非アクティブ性接続状態である。ステップ７１は、図５の４４に対応する。コアネットワークは状態Ｐ２をとる。ＵＥコンテキストがＳＭ中で確立される（７２）。
【００６１】
データネットワークは、ＰＤＵをＵＰ−ＧＷに伝達し（７３）、ＵＰ−ＧＷは、セッション要求をＳＭに発行する（７４）。他方、ＳＭは、セッション応答メッセージでＵＰ−ＧＷに応答し（８０）、ＵＰ−ＧＷはＵＥコンテキストを確立する（８１）。
【００６２】
次に、ＵＰ−ＧＷは、当該のコンテキストに適用可能なＡＮにＰＤＵを転送する。
【００６３】
ＡＮとＵＥとの間での無線ベアラ再開プロシージャがその後に続き（８２）、ＰＤＵはＵＥに送信される。受信されると、ＡＮおよびＵＥは無線ベアラ「中断」を実施し、ＡＮはＲＲＣ非アクティブ接続状態をとる（８５）。
【００６４】
ＵＥは非アクティブであり（８６）、コアネットワークは状態Ｐ２に戻り、ＵＰ−ＧＷはＵＥコンテキストを除去する（８７）。
【００６５】
いくつかのデータセッションは、低頻度の小さいデータに関するｉアップリンクデータがＡＳによって肯定応答される必要があることを伴う場合がある。図８に、このプロシージャに関する一実施形態が示される。
【００６６】
この場合も、ＵＥのアタッチが実施済みである。ＵＥコンテキストが、ＡＮ（９１）およびＳＭ（９２）中にある。コアネットワークは状態Ｐ２をとる。
【００６７】
ＵＥおよびＡＮは、無線ベアラ再開プロシージャを実施し（９３）、ＵＥはＰＤＵをＡＮに送信し（９４）、ＡＮはＰＤＵをＵＰ−ＧＷに転送する（９５）。
【００６８】
ＵＰ−ＧＷはセッション要求をＳＭに送信し（９６）、コアネットワークは状態Ｐ３をとり、ＳＭはセッション応答でＵＰ−ＧＷに応答し（１００）、ＵＰ−ＧＷは、当該のＵＥについてのＵＥコンテキストを確立する（１０１）。
【００６９】
次に、ＵＰ−ＧＷは、ＰＤＵをデータネットワークに転送し（１０２）、当該のＡＳは、ＵＰ−ＧＷへのＡＣＫ  ＰＤＵメッセージによってＰＤＵを肯定応答する（１０３）。ＵＰ−ＧＷは、ＡＣＫ  ＰＤＵをＡＮに転送し、ＡＮは、ＡＣＫメッセージをさらにＵＥに転送する（１０５）。
【００７０】
ＵＥおよびＡＮは、無線ベアラ「中断」を実施し、ＡＮは、ＵＥに対するＲＲＣ非アクティブ接続状態に入る（１０７）。
【００７１】
ＵＰ−ＧＷはＵＥコンテキストを除去し（１０８）、ＵＥは非アクティブ状態に入る（１０９）。
【００７２】
したがって、上の例示的な実施形態に関して、以下の利点のいくつかを達成することができる。
・  低頻度の小さいデータを送るアプリケーションに最適化された、５Ｇ  ＮＲコアネットワークを介したコネクティビティを提供する。
・  ＲＡＮにおける「休眠」状態の使用に基礎を置く。このことは、標準化され実装されることが必要なオプションがより少ないことを意味する。
・  目的は、ユーザデータをＣＰ中で送る（４Ｇ  Ｄｏ−ＮＡＳ（データオーバーＮＡＳ）ソリューションの場合のように）のを強いられることなく、ＩｏＴデバイスのための、シグナリング／ユーザデータの関係の最適化された比率を得ることである。
【００７３】
図９に、低頻度の小さいデータを通信するための接続確立フローまたはアタッチプロシージャの代替実施形態が示される。
【００７４】
このプロシージャでは、ＵＥがネットワークにアタッチされると仮定する。アタッチプロシージャの一部として、加入データが加入者データ管理機能からフェッチされる。
【００７５】
１２０．  ＵＥがセッションセットアップ要求を開始する。ＵＥは、ＰＤＵセッションタイプ（例えば、非ＩＰ／ＩＰ）を示す情報を提供する。ＤＮネットワーク名の標識が含められてもよい。
【００７６】
１２４．  ＳＭ機能はポリシ制御機能と対話することができ、ポリシ制御機能は、ＵＥ要求およびオペレータポリシなどの情報に基づいて、接続のＱｏＳプロパティを決定する。
注：どのようにＱｏＳ関係のプロパティがオペレータポリシにより設定されるかは、ＱｏＳおよびポリシフレームワークキーイシューについて策定されたソリューションによる。
【００７７】
１２６．  ＳＭ機能は、ＵＥに関連する適正なユーザプレーン機能およびトンネル識別子を選択する。接続タイプがＩＰである場合、ＳＭ機能は、ユーザプレーン機能中で固定されたＩＰｖ４アドレス／ＩＰｖ６プレフィックスを割り当てる。
【００７８】
１２８．  ＳＭ機能は、セッションのためのリソースをセットアップするようＡＮに要求することができる。
【００７９】
１３０．  ＩＰベースの接続タイプの場合、ＳＭ機能は、ユーザプレーンの確立をトリガして、ＰＤＵセッション確立後のＩＰアドレス／プレフィックス割振りのために、ＩＰｖ６ステートレスアドレス自動設定またはＤＨＣＰｖ４オプションを可能にする。この場合、ＤＨＣＰｖ４またはＲＳ／ＲＡメッセージは、ＵＰ機能によってＵＥと制御プレーン機能エンティティとの間で転送されることになる。ＵＥコンテキストがユーザプレーン機能中で作成される。
【００８０】
このステップは、ＩＰｖ４アドレスまたはＩＰｖ６プレフィックスがＵＥと制御プレーン機能との間で制御プレーンを介してプロトコル中で提供されるというオプションの場合には必要でない。
注：非ＩＰの場合は、ステップ１３０は必要でないことがある。
【００８１】
１３２．  ＳＭ機能は、すべての必要なＵＥおよびＰＤＵセッションデータと共に、ＵＥコンテキストを記憶する。
【００８２】
１３４．  ＳＭ機能は、ＣＰおよび任意選択でＵＰにおける確立を完了し、アップリンクトンネル情報をＡＮ機能に提供する。
注：ＱｏＳや最大ビットレートなど、他の情報が伝達されてもよい。
【００８３】
１３６．  ＡＮ機能は、ＵＥコンテキストを記憶する。
【００８４】
１３８．  セッションセットアップが完了する。
【００８５】
１４０．  ＩＰの場合、ＳＭとＵＰ機能エンティティとの間のユーザプレーンおよび制御プレーンを介して、ＵＥとＳＭ機能との間のＩＰｖ６ステートレスアドレス自動設定またはＤＨＣＰｖ４プロシージャがトリガされてよい。
【００８６】
１４２．  ＩＰ  ＰＤＵセッションタイプの場合、ＩＰｖ６ステートレスアドレス自動設定またはＤＨＣＰｖ４割振りプロシージャが終了した後、ＵＰ機能エンティティは、ＵＥコンテキストを削除して、可能性のある長いＵＥ非アクティブ性期間中に通常なら不必要に割り振られたであろうリソースを解放する。
【００８７】
１４４．  例えばある期間にわたるユーザ非アクティブ性により、ＡＮ機能は、ＵＥをＲＲＣ非アクティブ接続状態に移す。
【００８８】
図１０に、小さいデータを低頻度で送るＵＥデバイスから、小さいアップリンクＰＤＵがどのように伝達されるかに関する代替実施形態が示される。
【００８９】
このプロシージャでは、ＵＥがネットワークにアタッチされ、ＰＤＵセッションが確立され、ＵＥがＲＣＣ非アクティブ接続状態にあり、ＵＰ機能エンティティ中で現在、ＵＥコンテキストが確立されていないと仮定する。
【００９０】
１５０．  ＵＥおよびＡＮが、無線ベアラ再開プロシージャを実施して、ＵＥとＡＮとの間で無線ベアラをセットアップする。
【００９１】
１５２．  ＵＥは、ＰＤＵをＡＮに送信し、このＰＤＵが今回送信される最終ＰＤＵであることを示す。
【００９２】
１５４．  ＡＮは、ＰＤＵをトンネルプロトコルヘッダ中にカプセル化し、ＵＥコンテキストのトンネル識別子部分によって示されるユーザプレーン機能にＰＤＵを転送する。ＡＮは、例えばＱｏＳマーキングやレート制限などを施行することができる。
【００９３】
１５６．  ＡＮがＰＤＵを転送した後、ＡＮは、最終ＰＤＵマーキングによってまたはＵＥ非アクティブ性によってトリガされた、無線ベアラ中断プロシージャをＵＥと開始する。
【００９４】
１５８．  ＵＥは、ＲＲＣ非アクティブ接続状態に移される。
【００９５】
１６０．  ＵＰ機能エンティティはアップリンクＰＤＵを受け取り、ＵＥコンテキストが存在しない場合は、ユーザプレーン機能エンティティは、適正なＣＰ機能エンティティにＵＥコンテキストを要求し、ＵＥコンテキストを記憶する。ＣＰ機能エンティティは、トンネル識別子によって識別される。
ＵＥコンテキストがユーザプレーン機能エンティティ中にすでに存在する場合は、このステップは省略される。
【００９６】
１６２．  ＵＰ機能エンティティは、ＩＰ  ＰＤＵセッションタイプの場合に、ＰＤＵ宛先ＩＰアドレスを利用してＰＤＵをデータネットワークに転送する。ユーザプレーン機能は、例えばＱｏＳマーキングや課金などを施行することができる。
【００９７】
１６４．  ＵＰ機能エンティティは任意選択で、例えば最終ＰＤＵマーキングに従って、または例えば非アクティブ性により、ＵＥコンテキストを除去する。
【００９８】
図１１に、小さいデータを低頻度で送るＵＥデバイスに、小さいダウンリンクＰＤＵがどのようにデータネットワークから伝達されるかに関する代替実施形態が示される。
【００９９】
このプロシージャでは、ＵＥがネットワークにアタッチされ、ＰＤＵセッションが確立され、ＵＥがＲＣＣ非アクティブ接続状態にあり、ユーザプレーン機能エンティティ中で現在、ＵＥコンテキストが確立されていないと仮定する。
【０１００】
１７０．  データネットワーク中のアプリケーションサーバが、移動体によって終端されるＰＤＵをユーザプレーン機能エンティティに向けて伝達する。ＩＰの場合、宛先アドレスはＵＥデバイスのＩＰアドレスである。
【０１０１】
１７２．  ユーザプレーン機能エンティティはダウンリンクＰＤＵを受け取り、ＵＥコンテキストが存在しない場合は、ユーザプレーン機能エンティティは、適正な制御プレーン機能エンティティにＵＥコンテキストを要求し、ＵＥコンテキストを記憶する。ＩＰの場合、ＩＰアドレスを使用して適正なＳＭ機能が導出される。
ＵＥコンテキストがユーザプレーン機能エンティティ中にすでに存在する場合は、このステップは省略される。
【０１０２】
１７４．  ユーザプレーン機能エンティティは、ＰＤＵをトンネルプロトコルヘッダ中にカプセル化し、ＵＥコンテキストのＡＮトンネル識別子部分によって識別されるＡＮにＰＤＵを転送する。ユーザプレーン機能は、例えばＱｏＳマーキング、レート制限、課金などを施行することができる。
【０１０３】
１７８．  ＡＮがＰＤＵを受け取ると、ページングプロシージャの成功後に無線ベアラ再開プロシージャが開始される。
【０１０４】
１８０．  ＡＮは、無線ベアラが再開された後でＰＤＵをＵＥに転送する。
【０１０５】
１８２．  ＡＮがＰＤＵを転送した後、ＡＮは、例えばＵＥ非アクティブ性により、ＵＥとの無線ベアラ中断プロシージャを開始する。
【０１０６】
１８４．  ＵＥは、ＲＲＣ非アクティブ接続状態に移される。
【０１０７】
１８６．  ユーザプレーン機能エンティティは任意選択で、例えば非アクティブ性により、ＵＥコンテキストを除去する。
【０１０８】
図１２に、アクセスノード（ＡＮ）、モビリティ管理ノード（ＭＭ）、セッション管理ノード（ＳＭ）、およびユーザプレーンゲートウェイ（ＵＰ−ＧＷ）の実施形態が示される。
【０１０９】
ＡＮは、プロセッサＰＣＵ＿Ａと、命令が記憶されたメモリＭＥＭ＿Ａとを備え、これらの命令は、プロセッサＰＣＵ＿Ａ上で実行されたとき、上記の各図に示されるステップを実施するように設定されている。ＡＮはさらにインタフェースＩＦ＿Ａを備え、このインタフェースＩＦ＿Ａを介して他のノードを通信する。
【０１１０】
ＭＭは、プロセッサＰＣＵ＿Ｍと、命令が記憶されたメモリＭＥＭ＿Ｍとを備え、これらの命令は、プロセッサＰＣＵ＿Ｍ上で実行されたとき、上記の各図に示されるステップを実施するように設定されている。ＭＭはさらにインタフェースＩＦ＿Ｍを備え、このインタフェースＩＦ＿Ｍを介して他のノードと通信する。
【０１１１】
ＳＭは、プロセッサＰＣＵ＿Ｓと、命令が記憶されたメモリＭＥＭ＿Ｓとを備え、これらの命令は、プロセッサＰＣＵ＿Ｓ上で実行されたとき、上記の各図に示されるステップを実施するように設定されている。ＳＭはさらにインタフェースＩＦ＿Ｓを備え、このインタフェースＩＦ＿Ｓを介して他のノードを通信する。
【０１１２】
ＵＰ−ＧＷは、プロセッサＰＣＵ＿Ｕと、命令が記憶されたメモリＭＥＭ＿Ｕとを備え、これらの命令は、プロセッサＰＣＵ＿Ｕ上で実行されたとき、上記の各図に示されるステップを実施するように設定されている。ＵＰ−ＧＷはさらにインタフェースＩＦ＿Ｕを備え、このインタフェースＩＦ＿Ｕを介して他のノードを通信する。
【０１１３】
ユーザエンティティ（ＵＥ）も示されており、ＵＥは、プロセッサＰＣＵ＿ＵＥ、メモリＭＥＭ＿ＵＥ、およびインタフェースＩＦ＿ＵＥを備える。プロセッサは、前述のように命令を実行するように適合され、命令はさらに、メモリＭＥＭ＿ＵＥに記憶されるように適合されている。ＵＥは、インタフェースＩＦ＿ＵＥを介してＡＮと通信する。
【０１１４】
上で規定された方法ステップを実施するコンピュータプログラムまたはコンピュータプログラム製品が提供される。
【０１１５】
上で考察された方法は、別法として、ネットワーク機能仮想化に基づくシステムを用いて実装されてもよい。
【０１１６】
図１３では、例えば汎用サーバ、標準的なストレージ、およびスイッチ上に形成された、そのようなネットワーク機能仮想化システム（ＮＦＶＳ）を用いて、本発明のさらに他の実施形態が実装される。ＮＦＶＳは、ＥＴＳＩ  ＧＳ  ＮＦＶ  ００２  Ｖ．１．１．１（２０１３−１０）の図４の記載に沿って配置構成されたものとすることができ、以下の要素を備える。すなわち、オーケストレータ（ＯＲＣＨ）と、ＶＮＦマネージャ（ＶＮＦ＿ＭＧＲ）と、仮想化インフラストラクチャマネージャ（ＶＩＲＴ＿ＩＮＦＲＡ＿ＭＧＲ）とを含むＮＦＶ管理およびオーケストレーションシステムである。ＮＦＶＳはさらに、オペレーショナル／ビジネスサポートシステム（ＯＰ＿ＢＵＳＳ＿ＳＵＰＰ＿ＳＹＳＴ）と、上で説明された方法ステップがインスタンス化されるためのいくつかの仮想ネットワーク機能インスタンス（ＶＮＦ）と、仮想化されたインフラストラクチャ（ＶＩＲＴ＿ＩＮＦＲＡ）とを備える。ＶＩＲＴ＿ＩＮＦＲＡは、仮想コンピューティング（ＶＩＲＴ＿ＣＯＭＰ）、仮想ネットワーク（ＶＩＲＴ＿ＮＥＴＷ）、および仮想メモリ（ＶＩＲＴ＿ＭＥＭ）と、仮想化レイヤ（ＶＩＲＴ＿ＬＡＹＥＲ）（例えばハイパーバイザ）と、共有ハードウェアリソース（ＳＨＡＲＥＤ＿ＨＲＤＷ＿ＲＥＳ）とを含み、ＳＨＡＲＥＤ＿ＨＲＤＷ＿ＲＥＳは、コンピューティングデバイス（ＣＯＭＰ）と、ネットワークデバイス（ＮＥＴＷ）（例えば、標準的なスイッチおよび他のネットワークデバイスを含む）と、標準的なデータ記憶デバイス（ＭＥＭ）とを含む。
【０１１７】
言い換えれば、以下が提供される。
アクセスノード（ＡＮ）と、セッション管理（ＳＭ）機能ノードまたは制御プレーン（ＣＰ）機能エンティティ（ＳＭ）と、ユーザプレーン（ＵＰ）機能エンティティと、ポリシ制御エンティティ（ＨＳＳ、ポリシＣＴＲＬ）とを含むシステムであり、システムはデータネットワークと対話する。システムは、低頻度の小さいパケットデータユニット（ＰＤＵ）をユーザエンティティ（ＵＥ）との間で通信するための接続確立フローまたはアタッチプロシージャを実施するように適合され、システムは、
−  ＵＥがセッションセットアップ要求を開始すると（１２０）、
−  ＳＭ機能ノードが、ＵＥに関連するＵＰ機能エンティティおよびトンネル識別子を選択し（１２６）、
−  ＩＰ  ＰＤＵセッションタイプの場合に、ＳＭ機能ノードがＵＰ機能エンティティとＳＭ機能ノードとの間でのユーザプレーン（ＵＰ）の確立をトリガし、ＵＥコンテキストがＵＰ機能エンティティ中で作成され（１３０）、
−  ＳＭ機能ノードがＵＥコンテキストを記憶し（１３２）、
−  ＳＭ機能ノードが、制御プレーン（ＣＰ）中で、かつ任意選択でＵＰ中で、確立を完了し、アップリンクトンネル情報をＡＮに提供し（１３４）、
−  ＡＮがＵＥコンテキストを記憶し（１３６）、
−  ＡＮが応答をＵＥに送信する（１３８）
ように適合される。
【０１１８】
システムはさらに、
−  ＩＰｖ６ステートレスアドレス自動設定またはＤＨＣＰｖ４割振りプロシージャが終了した（１４０）後、かつインターネットプロトコルベースの接続の場合に、
−  ＵＰ機能エンティティがＵＥコンテキストを削除する（１４２）
ように適合されてもよい。
【０１１９】
システムはさらに、データを低頻度で送るＵＥから小さいアップリンクＰＤＵを伝達するように適合され、
ＵＥはネットワークにアタッチされ、ＰＤＵセッションが確立され、ＵＥはＲＣＣ非アクティブ接続状態にあり、ＣＮ  ＵＰ機能エンティティ中で現在、ＵＥコンテキストが確立されておらず、システムは、
−  無線ベアラがＵＥとＡＮとの間でセットアップされ（１５０）、
−  ＵＥが、アップリンクＰＤＵをＡＮに送信し、このＰＤＵが送信されるべき最終ＰＤＵであることを示し（１５２）、
−  ＡＮが、ＰＤＵをトンネルプロトコルヘッダ中にカプセル化し、ＵＥコンテキストのトンネル識別子部分によって示されるＵＰ機能エンティティにＰＤＵを転送し（１５４）
−  ＵＥがＲＲＣ非アクティブ接続状態に移され（１５８）、
−  ＵＰ機能エンティティがアップリンクＰＤＵを受け取り、ＵＥコンテキストが存在しない場合に、ＵＰ機能エンティティが、適正な制御プレーン機能エンティティにＵＥコンテキストを要求してＵＥコンテキストを記憶し（１６０）、
−  ＵＰ機能エンティティが、ＩＰ  ＰＤＵセッションタイプの場合にＰＤＵ宛先ＩＰアドレスを利用してＰＤＵをデータネットワークに転送する（１６２）
ように適合される。
【０１２０】
ＵＰ機能エンティティは、リソースを節約するために、最終ＰＤＵマーキングに従って、または非アクティブ性により、ＵＥコンテキストを除去することができる。
【０１２１】
システムはさらに、データを低頻度で送るＵＥに小さいダウンリンクＰＤＵを伝達するように適合されてよく、
ＵＥはネットワークにアタッチされ、ＰＤＵセッションが確立され、ＵＥはＲＣＣ非アクティブ接続状態にあり、ＵＰ機能エンティティ中で現在、ＵＥコンテキストが確立されておらず、システムは、
−  移動体によって終端されるダウンリンクＰＤＵがＵＰ機能エンティティによって受け取られ（１７０）、
−  ＵＥコンテキストが存在しない場合に、ＵＰ機能エンティティがＵＥコンテキストをＣＰ機能エンティティに要求してＵＥコンテキストを記憶し（１７２）、
−  ＵＰ機能エンティティが、ＰＤＵをトンネルプロトコルヘッダ中にカプセル化し、ＵＥコンテキストのＡＮトンネル識別子部分によって識別されるＡＮにＰＤＵを転送し（１７４）、
−  ＡＮがＰＤＵをＵＥに転送し（１８０）、
−  ＵＥがＲＲＣ非アクティブ接続状態に移される（１８４）
ように適合される。
【０１２２】
上記によるシステムであり、ＵＰ機能エンティティは、非アクティブ性によりＵＥコンテキストを除去する。
【０１２３】
セッション管理（ＳＭ）機能ノードまたは制御プレーン（ＣＰ）機能エンティティのための方法であり、ＳＭ機能ノードはアクセスノード（ＡＮ）およびＵＰ機能エンティティと対話し、ＵＰ機能エンティティはさらにデータネットワークと対話し、ＳＭ機能ノードはポリシ制御エンティティ（ＨＳＳ、ポリシＣＴＲＬ）と対話する。ＳＭ機能ノードは、低頻度の小さいパケットデータユニット（ＰＤＵ）をユーザエンティティ（ＵＥ）との間で通信するための接続確立フローまたはアタッチプロシージャに加わるように適合され、この方法は、ＳＭ機能ノードが、
−  セッションセットアップ要求をＵＥから受け取ること（１２０）、
−  ＵＥに関連するＵＰ機能エンティティおよびトンネル識別子を選択すること（１２６）、
−  ＩＰベースのＰＤＵタイプの場合に、ＵＰ機能エンティティとＳＭ機能ノードとの間でのユーザプレーン（ＵＰ）の確立をトリガすることであって、それによりＵＥコンテキストがＵＰ機能エンティティ中で作成されること（１３０）、
−  ＵＥコンテキストを記憶すること（１３２）、
−  制御プレーン（ＣＰ）中での確立を完了し、アップリンクトンネル情報をＡＮに提供すること（１３４）
を含む。
【０１２４】
請求項７に記載のＳＭ機能ノードのための方法であり、この方法はさらに、データを低頻度で送るＵＥから小さいアップリンクＰＤＵを伝達するようにさらに適合され、ＵＥはネットワークにアタッチされ、ＰＤＵセッションが確立され、ＵＥはＲＣＣ非アクティブ接続状態にあり、ＵＰ機能エンティティ中で現在、ＵＥコンテキストが確立されておらず、ＵＥとＡＮとの間で無線ベアラが再開され（１５０）、ＵＥが、ＰＤＵをＡＮに送信し、このＰＤＵが期間にわたる送信されるべき最終ＰＤＵであることを示し（１５２）、
−  ＵＰ機能エンティティからＵＥコンテキストが要求されると、ＵＥコンテキストを提供すること（１６０）
を含む。
【０１２５】
データを低頻度で送るＵＥから小さいアップリンクＰＤＵを伝達するように適合されたＵＰ機能エンティティのための方法であり、
−  トンネルプロトコルヘッダ中にカプセル化され、ＵＥコンテキストのトンネル識別子部分によって識別されるＰＤＵを、ＡＮから受け取ること（１５４）、
−  ＵＰ機能エンティティがアップリンクＰＤＵを受け取り、ＵＥコンテキストが存在しない場合に、ＵＰ機能エンティティが制御プレーン機能エンティティにＵＥコンテキストを要求してＵＥコンテキストを記憶すること（１６０）、
−  ＵＰ機能エンティティが、ＩＰ  ＰＤＵタイプの場合にＰＤＵ宛先ＩＰアドレスを利用してＰＤＵをデータネットワークに転送すること（１６２）
を含む。
【０１２６】
この方法はさらに、
−  最終ＰＤＵマーキングに従って、または非アクティブ性により、ＵＥコンテキストを除去すること（１６４）を含むことができる。
【０１２７】
データを低頻度で送るＵＥに小さいダウンリンクＰＤＵを伝達するように適合されたＵＰ機能エンティティのための方法であり、
ＵＥはネットワークにアタッチされ、ＰＤＵセッションが確立され、ＵＥはＲＣＣ非アクティブ接続状態にあり、ＵＰ機能エンティティ中で現在、ＵＥコンテキストが確立されておらず、
−  移動体によって終端されるダウンリンクＰＤＵを受け取ること（１７０）、
−  ＵＥコンテキストが存在しない場合に、ＵＥコンテキストをＳＭ機能ノードに要求してＵＥコンテキストを記憶すること（１７２）、
−  ＰＤＵをトンネルプロトコルヘッダ中にカプセル化し、ＵＥコンテキストのＡＮトンネル識別子部分によって識別されるＡＮにＰＤＵを転送すること（１７４）
を含む。
【０１２８】
その後、リソースを節約するために、非アクティブ性によりＵＥコンテキストを除去するステップ（１８６）が実施されてよい。
【０１２９】
アクセスノード（ＡＮ）のための方法であり、ＡＮは、セッション管理（ＳＭ）機能ノードまたは制御プレーン（ＣＰ）機能エンティティと、ユーザプレーン（ＵＰ）機能エンティティと、ポリシ制御エンティティ（ＨＳＳ、ポリシＣＴＲＬ）と、データネットワークとを含むシステムと対話するように適合され、
ＡＮは、低頻度の小さいパケットデータユニット（ＰＤＵ）をユーザエンティティ（ＵＥ）との間で通信するための接続確立フローまたはアタッチプロシージャに加わるように適合され、
−  リソース、アップリンクトンネル情報、およびＵＥコンテキストをセットアップする要求をＳＭ機能ノードから受け取ること（１３４）、
−  ＵＥコンテキストを記憶すること（１３６）、
−  セッションセットアップ応答をＵＥに送信すること（１３８）、
−  ＵＥをＲＲＣ非アクティブ接続状態に移すこと（１４４）
を含む。
【０１３０】
上記による方法であり、ＵＥはネットワークにアタッチされ、ＰＤＵセッションが確立され、ＵＥはＲＣＣ非アクティブ接続状態にあり、ＵＰ機能エンティティ中で現在、ＵＥコンテキストが確立されておらず、
−  アップリンクＰＤＵを受け取ること（１５２）、
−  ＰＤＵをトンネルプロトコルヘッダ中にカプセル化し、ＵＥコンテキストのトンネル識別子部分によって示されるＵＰ機能エンティティにＰＤＵを転送すること（１５４）、
−  ＵＥをＲＲＣ非アクティブ接続状態に移すこと（１５８）
を含む。
【０１３１】
上記による方法であり、ＵＥはネットワークにアタッチされ、ＰＤＵセッションが確立され、ＵＥはＲＣＣ非アクティブ接続状態にあり、ＵＰ機能エンティティ中で現在、ＵＥコンテキストが確立されておらず、
−  ダウンリンクＰＤＵを受け取ること（１７８）、
−  ＰＤＵを転送すること（１８０）、
−  ＵＥをＲＲＣ非アクティブ接続状態に移すこと（１８４）
を含む。
【０１３２】
上記のいずれかによる方法であり、小さい低頻度のデータは事前規定済みのデータ使用タイプに関係し、この事前規定済みのデータ使用タイプは、モバイルブロードバンドデータなどのデータ使用タイプとは異なるものであり、かつ、モバイルブロードバンドデータ使用タイプに対して低頻度のデータ使用と、モバイルブロードバンドデータ使用タイプよりも少ない量のデータとを伴うものである。
【０１３３】
上記の方法ステップによるプログラムまたはコンピュータプログラム製品も提供される。
【０１３４】
アクセスノード（ＡＮ）であり、ＡＮは、セッション管理（ＳＭ）機能ノードまたは制御プレーン（ＣＰ）機能エンティティと、ユーザプレーン（ＵＰ）機能エンティティと、ポリシ制御エンティティ（ＨＳＳ、ポリシＣＴＲＬ）と、データネットワークとを含むシステム中で対話するように適合される。ＡＮは、プロセッサＰＣＵ＿Ａと、命令が記憶されたメモリＭＥＭ＿Ａとを備え、アクセスノードは、
低頻度の小さいパケットデータユニット（ＰＤＵ）をユーザエンティティ（ＵＥ）との間で通信するための接続確立フローまたはアタッチプロシージャに加わること、
−  リソース、アップリンクトンネル情報、およびＵＥコンテキストをセットアップする要求をＳＭ機能ノードから受け取ること（１３４）、
−  ＵＥコンテキストを記憶すること（１３６）、
−  セッションセットアップ応答をＵＥに送信すること（１３８）、
−  ＵＥをＲＲＣ非アクティブ接続状態に移すこと（１４４）
を行うように設定される。
【０１３５】
上記によるアクセスノードであり、ＵＥはネットワークにアタッチされ、ＰＤＵセッションが確立され、ＵＥはＲＣＣ非アクティブ接続状態にあり、ＵＰ機能エンティティ中で現在、ＵＥコンテキストが確立されておらず、アクセスノードは、
−  アップリンクＰＤＵを受け取ること（１５２）、
−  ＰＤＵをトンネルプロトコルヘッダ中にカプセル化し、ＵＥコンテキストのトンネル識別子部分によって示されるＵＰ機能エンティティにＰＤＵを転送すること（１５４）、
−  ＵＥをＲＲＣ非アクティブ接続状態に移すこと（１５８）
を行うように設定される。
【０１３６】
上記によるアクセスノードであり、ＵＥはネットワークにアタッチされ、ＰＤＵセッションが確立され、ＵＥはＲＣＣ非アクティブ接続状態にあり、ＵＰ機能エンティティ中で現在、ＵＥコンテキストが確立されておらず、アクセスノードは、
−  ダウンリンクＰＤＵを受け取ること（１７８）、
−  ＰＤＵを転送すること（１８０）、
−  ＵＥをＲＲＣ非アクティブ接続状態に移すこと（１８４）
を行うように設定される。
【０１３７】
さらに他の実施形態
１．  ユーザエンティティ（ＵＥ）と、アクセスノード（ＡＮ）と、セッション管理ノード（ＳＭ）または制御プレーン機能エンティティと、ユーザプレーン機能エンティティと、ポリシ制御エンティティ（ＨＳＳ、ポリシＣＴＲＬ）と、ユーザデータエンティティ（ＵＳＥＲ  ＤＡＴＡ）と、データネットワーク中のアプリケーションサーバ（ＡＳ）とのための方法であり、
システムは、小さい低頻度のデータを送受信するように適合され、
この方法は、ＵＥがアタッチプロシージャを実施することを含み、
−  ＵＥは、ＳＭとのセッションセットアップを要求し（１２０）、
−  ＳＭは、ユーザプレーンを選択し（１２６）、ＵＥについてのＵＥコンテキストを記憶する（１３２）。
【０１３８】
２．  １による方法であり、
−  ＡＮはＵＥコンテキストを記憶する（１３６）。
【０１３９】
３．  １または２による方法であり、ＳＭまたは制御プレーン機能エンティティがＵＥコンテキストを記憶した後、ＡＮはＲＲＣ非アクティブ接続状態に入り（１４４）、ユーザプレーン機能エンティティはＵＥコンテキストを除去する（１４２）。
【０１４０】
４．  上記の１〜３のいずれかによる方法であり、ＵＥは、アタッチプロシージャを実施した後、
−  ＡＮとの無線ベアラ再開プロシージャに携わり（１５０）、
−  小さい低頻度のデータタイプに関係するプロトコルデータユニット（ＰＤＵ）を送信し（１５２）、
−  ＡＮとの無線ベアラ中断プロシージャに携わる（１５６）。
【０１４１】
５．  上記の４による方法であり、ＡＮとの無線ベアラ中断プロシージャに携わること（１５６）は、送信されたＰＤＵのどんな肯定応答もＵＥが受け取ることなく実施される。
【０１４２】
６．  上記の４による方法であり、ＡＮとの無線ベアラ中断プロシージャに携わること（１５６）は、ＰＤＵの送信後、すぐにまたは近い時点で実施される。
【０１４３】
７．  上記の１または３による方法であり、ＵＥがアタッチプロシージャを実施した後、
ユーザプレーン機能エンティティは、
−  ダウンリンクＰＤＵをＡＳから受け取り（１７０）、
−  ユーザプレーンセットアップを実施し（１７２）、
−  ＰＤＵをＡＮに転送し（１７４）、
ＡＮはその後、
−  無線ベアラ再開を実施し（１７８）、
−  ＰＤＵをＵＥに転送し（１８０）、
−  無線ベアラ中断を実施する（１８２）。
【０１４４】
８．  上記のいずれかによる方法であり、小さい低頻度のデータは事前規定済みのデータ使用タイプに関係し、この事前規定済みのデータ使用タイプは、モバイルブロードバンドデータなどのデータ使用タイプとは異なるものであり、かつ、モバイルブロードバンドデータ使用タイプに対して低頻度のデータ使用と、モバイルブロードバンドデータ使用タイプよりも少ない量のデータとを伴うものである。
【０１４５】
９．  上記の方法によるプログラムまたはコンピュータプログラム製品。
【０１４６】
１０．  上記のエンティティ、機能、およびノードのうちの少なくともいくつかに基づくシステム。
【０１４７】
１１．  ユーザエンティティ（ＵＥ）であり、
−  アタッチプロシージャを実施するように適合され、
−  ＵＥはＳＭとのセッションセットアップを要求する（１２０）。
【０１４８】
１２．  ダウンリンクプロトコルデータユニット（ＰＤＵ）のためのアクセスノード（ＡＮ）であり、
−  無線ベアラ再開プロシージャを実施し（１５０、１７８）、
−  ダウンリンクの場合にＰＤＵをＵＥに転送し（１８０）、アップリンクの場合にＰＤＵをＵＥから受け取り（１５２）、
−  無線ベアラ中断プロシージャを実施する（１５６、１８２）。
【０１４９】
１３．  ユーザプレーン機能エンティティまたはセッション管理ノードであり、
−  アップリンクＰＤＵをＡＮから受け取ること（１５４）、
−  ユーザプレーンセットアップを実施すること（１６０）、
−  ＰＤＵをＡＮに転送すること（１６２）、
−  ＵＥコンテキストを除去すること（１６４）
のうちのいくつかを実施するように適合される。
【０１５０】
１４．  ユーザプレーン機能エンティティまたはセッション管理ノードであり、
−  ダウンリンクＰＤＵをＡＳから受け取ること（１７０）、
−  ユーザプレーンセットアップを実施すること（１７２）、
−  ＰＤＵをＡＮに転送すること（１７４）、
−  ＵＥコンテキストを除去すること（１８６）
のうちのいくつかを実施するように適合される。
【図１】
2019525553.tif 000003
【図２】
2019525553.tif 000004
【図３】
2019525553.tif 000005
【図４】
2019525553.tif 000006
【図５】
2019525553.tif 000007
【図６】
2019525553.tif 000008
【図７】
2019525553.tif 000009
【図８】
2019525553.tif 000010
【図９】
2019525553.tif 000011
【図１０】
2019525553.tif 000012
【図１１】
2019525553.tif 000013
【図１２】
2019525553.tif 000014
【図１３】
2019525553.tif 000015
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
アクセスノード（ＡＮ）と、セッション管理（ＳＭ）機能ノードと、データネットワークと通信するユーザプレーン（ＵＰ）機能エンティティと、ポリシ制御エンティティ（ＨＳＳ、ポリシＣＴＲＬ）とを含むシステムのための方法であって、前記システムが前記データネットワークと対話し、前記システムが３ＧＰＰシステムであり、前記方法は、
前記システムが、低頻度の小さいパケットデータユニット（ＰＤＵ）をユーザエンティティ（ＵＥ）との間で通信するための接続確立フローまたはアタッチプロシージャを実施するように適合され、
前記ＵＥが
前記ＡＮを介したセッションセットアップ要求を開始すると（１２０）、
前記ＳＭ機能ノードが、
前記ＵＥに関連する前記ＵＰ機能エンティティおよびトンネル識別子を選択すること（１２６）、
ＩＰ  ＰＤＵセッションタイプの場合に、前記ＳＭ機能ノードが、前記ＵＰ機能エンティティと前記ＳＭ機能ノードとの間でのユーザプレーンセットアップ（１３０）シグナリングに携わることによってユーザプレーン（ＵＰ）の確立をトリガし、ＵＥコンテキストが前記ＵＰ機能エンティティ中で作成されること（１３０）、
前記ＵＥコンテキストを記憶すること（１３２）、
制御プレーン（ＣＰ）での確立を完了し、前記ＵＥコンテキストおよびアップリンクトンネル情報を前記ＡＮに提供すること（１３４）、
前記ＡＮが
前記ＵＥコンテキストを含むセッションセットアップ応答を受け取ること（１３４）、
前記ＵＥコンテキストを記憶すること（１３６）、
セッションセットアップ応答を前記ＵＥに送信すること（１３８）、
ある期間にわたるユーザ非アクティブ性があると、前記ＡＮが前記ＵＥを無線リソース制御（ＲＲＣ）非アクティブ接続状態に移すこと（１４４）、
前記ＵＰ機能エンティティが、ある期間後に
前記ＵＥコンテキストを除去すること（１４２）
を含む方法。
【請求項２】
前記ＵＥコンテキストを前記ＵＰ機能エンティティ中で除去することがさらに、ＩＰｖ６ステートレスアドレス自動設定またはＤＨＣＰｖ４割振りプロシージャの終了（１４０）に応じて、かつインターネットプロトコルベースの接続の場合に、行われる（１４０）、請求項１に記載の方法。
【請求項３】
前記ＵＥと前記ＡＮとの間で無線ベアラを再開すること（１５０）、
前記ＵＥが、
アップリンクＰＤＵを前記ＡＮに送信し、前記ＰＤＵが送信されるべき最終ＰＤＵであることを示すこと（１５２）、
前記ＡＮが、
前記ＰＤＵをトンネルプロトコルヘッダ中にカプセル化し、前記ＵＥコンテキストのトンネル識別子部分によって示される前記ＵＰ機能エンティティに前記ＰＤＵを転送すること（１５４）、
前記ＵＥをＲＲＣ非アクティブ接続状態に移すこと（１５８）、
前記ＵＰ機能エンティティが
前記アップリンクＰＤＵを受け取り、前記ＵＥコンテキストが存在しない場合に、前記ＵＰ機能エンティティが前記ＳＭ機能ノードに前記ＵＥコンテキストを要求して前記ＵＥコンテキストを記憶すること（１６０）、
ＩＰ  ＰＤＵセッションタイプの場合にＰＤＵ宛先ＩＰアドレスを利用して前記ＰＤＵを前記データネットワークに転送すること（１６２）、
最終ＰＤＵマーキングに従って、または非アクティブ性により、前記ＵＥコンテキストを除去すること（１６４）
をさらに含む、請求項１または２に記載の方法。
【請求項４】
前記ＵＰ機能エンティティが、
移動体によって終端されるダウンリンクＰＤＵを受け取ること（１７０）、
ＵＥコンテキストが前記ＵＰ機能エンティティ中に存在しない場合に、前記ＵＰ機能エンティティが前記ＵＥコンテキストを前記ＣＰＳＭ機能エンティティノードに要求して前記ＵＥコンテキストを記憶すること（１７２）、
前記ＰＤＵをトンネルプロトコルヘッダ中にカプセル化し、前記ＵＥコンテキストのＡＮトンネル識別子部分によって識別される前記ＡＮに前記ＰＤＵを転送すること（１７４）、
前記ＡＮが、
前記ＰＤＵを前記ＵＥに転送すること（１８０）、
前記ＵＥをＲＲＣ非アクティブ接続状態に移すこと（１８４）、
前記ＵＰ機能エンティティが
非アクティブ性により前記ＵＥコンテキストを除去すること
をさらに含む、請求項１から３のいずれか一項に記載の方法。
【請求項５】
セッション管理（ＳＭ）機能ノードのための方法であって、前記ＳＭ機能ノードがアクセスノード（ＡＮ）およびＵＰ機能エンティティと対話し、前記ＵＰ機能エンティティがさらにデータネットワークと対話し、前記ＳＭ機能ノードがポリシ制御エンティティ（ＨＳＳ、ポリシＣＴＲＬ）と対話し、前記ノードおよびエンティティが３ＧＰＰシステムを形成し、
前記ＳＭ機能ノードが、低頻度の小さいパケットデータユニット（ＰＤＵ）をユーザエンティティ（ＵＥ）との間で通信するための接続確立フローまたはアタッチプロシージャに加わるように適合され、
前記ＵＥがＲＣＣ非アクティブ接続状態にあり、前記ＵＰ機能エンティティ中で現在、ＵＥコンテキストが確立されておらず、前記方法は、
前記ＳＭ機能ノードが
前記ＡＮを介してＵＥからセッションセットアップ要求を受け取ること（１２０）、
前記ＵＥに関連する前記ＵＰ機能エンティティおよびトンネル識別子を選択すること（１２６）、
ＩＰベースのＰＤＵタイプの場合に、前記ＵＰ機能エンティティと前記ＳＭ機能ノードとの間でのユーザプレーン（ＵＰ）の確立をトリガすることであって、それによりＵＥコンテキストが前記ＵＰ機能エンティティ中で作成されること（１３０）、
前記ＵＥコンテキストを前記ＳＭ機能ノードに記憶すること（１３２）、
制御プレーン（ＣＰ）中での確立を完了し、前記ＵＥコンテキストおよびアップリンクトンネル情報を前記ＡＮに提供すること（１３４）
を含む方法。
【請求項６】
データを低頻度で送るＵＥから小さいアップリンクＰＤＵを伝達するようにさらに適合され、
前記ＵＥが前記ネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、前記ＵＥと前記ＡＮとの間で無線ベアラが再開され（１５０）、前記ＵＥが、前記ＰＤＵを前記ＡＮに送信し、前記ＰＤＵが期間にわたる送信されるべき最終ＰＤＵであることを示し（１５２）、
前記ＵＰ機能エンティティからＵＥコンテキストが要求されると、ＵＥコンテキストを前記ＵＰ機能エンティティに提供すること（１６０）
を含む、請求項５に記載のＳＭ機能ノードのための方法。
【請求項７】
データを低頻度で送るＵＥからの小さいアップリンクＰＤＵをデータネットワークに伝達するように適合されたユーザプレーン（ＵＰ）機能エンティティのための方法であって、前記ＵＰ機能エンティティがアクセスノード（ＡＮ）および制御プレーン（ＣＰ）機能エンティティと対話し、前記ノードおよびエンティティが３ＧＰＰシステムを形成し、
前記ＵＥがＲＣＣ非アクティブ接続状態にあり、前記ＵＰ機能エンティティ中で現在、ＵＥコンテキストが確立されておらず、前記方法は、
トンネルプロトコルヘッダ中にカプセル化され、前記ＵＥコンテキストのトンネル識別子部分によって示されるＰＤＵを、前記ＡＮから受け取ること（１５４）、
前記アップリンクＰＤＵを受け取り、前記ＵＥコンテキストが前記ＵＰ機能エンティティ中に存在しない場合に、前記ＣＰ機能エンティティに前記ＵＥコンテキストを要求して前記ＵＥコンテキストを記憶すること（１６０）、
ＩＰ  ＰＤＵタイプの場合にＰＤＵ宛先ＩＰアドレスを利用して前記ＰＤＵを前記データネットワークに転送すること（１６２）、
最終ＰＤＵマーキングに従って、または非アクティブ性により、前記ＵＥコンテキストを除去すること（１６４）
を含む方法。
【請求項８】
データを低頻度で送るＵＥに、データネットワークからの小さいダウンリンクＰＤＵを伝達するように適合されたＵＰ機能エンティティのための方法であって、
前記ＵＥがアクセスノード（ＡＮ）にアタッチされ、ＰＤＵセッションが確立され、前記ＵＥがＲＣＣ非アクティブ接続状態にあり、前記ＵＰ機能エンティティ中で現在、ＵＥコンテキストが確立されておらず、前記ノードおよびエンティティが３ＧＰＰシステムを形成し、前記方法は、
移動体によって終端されるダウンリンクＰＤＵを受け取ること（１７０）、
ＵＥコンテキストが前記ＵＰ機能エンティティ中に存在しない場合に、
前記ＵＥコンテキストをＳＭ機能ノードに要求して前記ＵＥコンテキストを記憶すること（１７２）、
前記ＰＤＵをトンネルプロトコルヘッダ中にカプセル化し、前記ＵＥコンテキストのＡＮトンネル識別子部分によって識別される前記ＡＮに前記ＰＤＵを転送すること（１７４）、
非アクティブ性により前記ＵＥコンテキストを除去すること（１８６）
を含む方法。
【請求項９】
アクセスノード（ＡＮ）のための方法であって、前記ＡＮが、セッション管理（ＳＭ）機能ノードまたは制御プレーン（ＣＰ）機能エンティティと、データネットワークと通信するユーザプレーン（ＵＰ）機能エンティティと、ポリシ制御エンティティ（ＨＳＳ、ポリシＣＴＲＬ）とを含むシステム中で対話するように適合され、前記ノードおよびエンティティが３ＧＰＰシステムを形成し、
前記ＡＮが、低頻度の小さいパケットデータユニット（ＰＤＵ）をユーザエンティティ（ＵＥ）との間で通信するための接続確立フローまたはアタッチプロシージャに加わるように適合され、前記方法は、
リソース、アップリンクトンネル情報、およびＵＥコンテキストをセットアップする要求を前記ＳＭ機能ノードから受け取ること（１２８、１３４）、
前記ＵＥコンテキストを記憶すること（１３６）、
セッションセットアップ応答を前記ＵＥに送信すること（１３８）、
前記ＵＥをＲＲＣ非アクティブ接続状態に移すこと（１４４）
を含む方法。
【請求項１０】
前記ＵＥが前記ネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、前記方法は、
アップリンクＰＤＵを受け取ること（１５２）、
前記ＰＤＵをトンネルプロトコルヘッダ中にカプセル化し、前記ＵＥコンテキストのトンネル識別子部分によって示される前記ＵＰ機能エンティティに前記ＰＤＵを転送すること（１５４）、
前記ＵＥをＲＲＣ非アクティブ接続状態に移すこと（１５８）
を含む、請求項９に記載の方法。
【請求項１１】
前記ＵＥが前記ネットワークにアタッチされ、ＰＤＵセッションが確立され、前記ＵＥがＲＣＣ非アクティブ接続状態にあり、前記ＵＰ機能エンティティ中で現在、ＵＥコンテキストが確立されておらず、
ダウンリンクＰＤＵを受け取ること（１７８）、
前記ＰＤＵを転送すること（１８０）、
前記ＵＥをＲＲＣ非アクティブ接続状態に移すこと（１８４）
を含む、請求項９または１０に記載の方法。
【請求項１２】
小さい低頻度のデータが、事前規定済みのデータ使用タイプに関係し、前記事前規定済みのデータ使用タイプが、モバイルブロードバンドデータなどのデータ使用タイプとは異なるものであり、かつ、前記モバイルブロードバンドデータ使用タイプに対して低頻度のデータ使用と、前記モバイルブロードバンドデータ使用タイプよりも少ない量のデータとを伴うものである、請求項９から１１のいずれか一項に記載の方法。
【請求項１３】
請求項５から１２のいずれか一項に記載のプログラムまたはコンピュータプログラム製品。
【請求項１４】
セッション管理（ＳＭ）機能ノードまたは制御プレーン（ＣＰ）機能エンティティと、データネットワークと通信するユーザプレーン（ＵＰ）機能エンティティと、ポリシ制御エンティティ（ＨＳＳ、ポリシＣＴＲＬ）とを含むシステム中で対話するように適合されたアクセスノード（ＡＮ）であって、前記ノードおよびエンティティが３ＧＰＰシステムを形成し、前記ＡＮが、プロセッサ（ＰＣＵ＿Ａ）と、命令が記憶されたメモリ（ＭＥＭ＿Ａ）とを備え、
低頻度の小さいパケットデータユニット（ＰＤＵ）をユーザエンティティ（ＵＥ）との間で通信するための接続確立フローまたはアタッチプロシージャに加わること、
リソース、アップリンクトンネル情報、およびＵＥコンテキストをセットアップする要求を前記ＳＭ機能ノードから受け取ること（１３４）、
前記ＵＥコンテキストを記憶すること（１３６）、
セッションセットアップ応答を前記ＵＥに送信すること（１３８）、
前記ＵＥをＲＲＣ非アクティブ接続状態に移すこと（１４４）
を行うように設定された、アクセスノード（ＡＮ）。
【請求項１５】
前記ＵＥが前記ネットワークにアタッチされ、ＰＤＵセッションが確立され、
アップリンクＰＤＵを受け取ること（１５２）、
前記ＰＤＵをトンネルプロトコルヘッダ中にカプセル化し、前記ＵＥコンテキストのトンネル識別子部分によって示される前記ＵＰ機能エンティティに前記ＰＤＵを転送すること（１５４）、
前記ＵＥをＲＲＣ非アクティブ接続状態に移すこと（１５８）
を行うように設定された、請求項１４に記載のアクセスノード。
【請求項１６】
前記ＵＥが前記ネットワークにアタッチされ、ＰＤＵセッションが確立され、ダウンリンクＰＤＵを受け取ること（１７８）、
前記ＰＤＵを転送すること（１８０）、
前記ＵＥをＲＲＣ非アクティブ接続状態に移すこと（１８４）
を行うように設定された、請求項１４または１５に記載のアクセスノード。
【国際調査報告】
2019525553.tif 000016
2019525553.tif 000017
2019525553.tif 000018
2019525553.tif 000019